(57)【要約】【課題】  高温下における耐振動および耐衝撃の耐久性を確保しつつ確実な装着感を得ることができるランプソケットを提供する。【解決手段】  外周面に係合部１２を有するランプ口金４７に嵌合するソケット開口部１０を有するとともに係合部１２を係止する係止部７を有するソケット本体１と、ランプ口金４７の中央電極部に接触する中央電極２と、ランプ口金４７の外側電極部に接触する外側電極と、ランプ口金４７がソケット本体１に嵌合した状態でランプ口金４７に当接する押上部材５と、ソケット本体１に支持されて押上部材５をランプ口金４７が外れる方向に押圧する弾性体６とを備え、ソケット本体１はソケット底部がソケットカバー９により構成され、外側電極をソケットカバー９に取付けている。【選択図】        図１
2005101011.tif 000002
【特許請求の範囲】
【請求項１】
外周面に係合部を有するランプ口金に嵌合するソケット開口部を有するとともに前記係合部を係止する係止部を有するソケット本体と、このソケット本体に設けられてランプ口金の中央電極部に接触する中央電極と、前記ソケット本体に設けられて前記ランプ口金の外側電極部に接触する外側電極と、前記ソケット本体に設けられて前記ランプ口金が前記ソケット本体に嵌合した状態で前記ランプ口金に当接する押上部材と、前記ソケット本体に支持されて前記押上部材を前記ランプ口金が外れる方向に押圧する弾性体とを備え、前記ソケット本体はソケット底部がソケットカバーにより構成され、前記外側電極を前記ソケットカバーに取付けているランプソケット。
【請求項２】
外周面に係合部を有するランプ口金に嵌合するソケット開口部を有するとともに前記係合部を係止する係止部を有するソケット本体と、このソケット本体に設けられてランプ口金の中央電極部に接触する中央電極と、前記ソケット本体に設けられて前記ランプ口金の外側電極部に接触する外側電極と、前記ソケット本体に設けられて前記ランプ口金が前記ソケット本体に嵌合した状態で前記ランプ口金に当接する押上部材と、前記ソケット本体に支持されて前記押上部材を前記ランプ口金が外れる方向に押圧する弾性体とを備え、前記弾性体は絶縁材を用いたランプソケット。
【請求項３】
外周面に係合部を有するランプ口金に嵌合するソケット開口部を有するとともに前記係合部を係止する係止部を有するソケット本体と、このソケット本体に設けられてランプ口金の中央電極部に接触する中央電極と、前記ソケット本体に設けられて前記ランプ口金の外側電極部に接触する外側電極と、前記ソケット本体に設けられて前記ランプ口金が前記ソケット本体に嵌合した状態で前記ランプ口金に当接する押上部材と、前記ソケット本体に支持されて前記押上部材を前記ランプ口金が外れる方向に押圧する弾性体とを備え、前記押上部材が少なくとも２以上に分割されているランプソケット。
【請求項４】
前記ランプ口金の前記係合部と前記ソケット本体の前記係止部との係合はランプ軸方向への直線動作による請求項１または請求項３記載のランプソケット。
【発明の詳細な説明】
【技術分野】
【０００１】
この発明は、高輝度放電灯（ＨＩＤ）等を用いた車輛用前照灯などに適用される高電圧用ソケット等のランプソケットに関するものである。
【背景技術】
【０００２】
従来例（例えば特許文献１、２参照) の高電圧用ソケットは、図２３に示す通り、灯体（図示せず）に保持されたランプ１５０にランプソケット１５１を保持固定するために、樹脂の弾性変形を利用したバヨネット構造を用いていた。なお、１５２はランプボディ、１５３は係合ピン、１５４は放電部、１５５はガラス管、１５６は外側電極部、１５７はバヨネット式の係止部、１５８はピン保持部、１５９はハーネス部である。なおランプ口金の中央電極部は外周電極部を設ける口金筒部の中央に同心に設けられている。
【０００３】
ランプソケット１５１を矢印（丸印１）の方向の動作によって係止部１５７の先端の切欠部１６０にソケット係止ピンを挿入すると、図２４の（ａ）のようになる。続く矢印（丸印２）の動作によって図２４の（ｂ）のように係止部１５７が弾性変形し、嵌合作業を進めて係合ピン１５３がピン保持部１５８に収まると図２４の（ｃ）のように嵌合完了となる。
【特許文献１】特開平7-037196号
【特許文献２】特開平7-033246号
【発明の開示】
【発明が解決しようとする課題】
【０００４】
従来の自動車用ＨＩＤランプソケットは、回転嵌合が主流であり、自動車の灯体内という非常に限られたスペースの中でランプソケットを装着するときに取外しが容易でかつ、クリック感（装着終了の感触）が得られ、自動車の振動に耐えるには図に示すような一つの樹脂ばねにてクリック感と強度をもたせる構造が一般的であった。
【０００５】
また灯体内という非常に高温下の状況で、樹脂ばね部（バヨネット部）に保持機能を行なわせるためには樹脂ばね部を強固なものでかつ大きなものにする必要があった。そのため、クリック感との兼ね合いが大変難しいものであった。
【０００６】
元来、保持部の剛性を上げれば、装着感および装着トルクは確実に上昇するためにはめにくくなる。このはめにくさを解消するような装着トルクや装着感では耐振動性および耐衝撃性に弱く、さらに高温下ではクリープ変形等の現象を生じ、ランプ保持部の変形によりランプに十分な電力を供給できずにヘッドライトが不灯に至るという不具合モードが生じる可能性があった。
【０００７】
また一対の外側電極の一方を用いたインターロック機能を備えた３線式のみではルーズコンタクトを完全には防止できない。
【０００８】
したがって、この発明の目的は、高温下における耐振動および耐衝撃の耐久性を確保しつつ確実な装着感を得ることができるランプソケットを提供することである。
【課題を解決するための手段】
【０００９】
本発明のランプソケットは、外周面に係合部を有するランプ口金に嵌合するソケット開口部を有するとともに前記係合部を係止する係止部を有するソケット本体と、このソケット本体に設けられてランプ口金の中央電極部に接触する中央電極と、前記ソケット本体に設けられて前記ランプ口金の外側電極部に接触する外側電極と、前記ソケット本体に設けられて前記ランプ口金が前記ソケット本体に嵌合した状態で前記ランプ口金に当接する押上部材と、前記ソケット本体に支持されて前記押上部材を前記ランプ口金が外れる方向に押圧する弾性体とを備え、前記ソケット本体がソケット底部がソケットカバーにより構成され、前記外側電極を前記ソケットカバーに取付けているものである。
【００１０】
本発明の別のランプソケットは、外周面に係合部を有するランプ口金に嵌合するソケット開口部を有するとともに前記係合部を係止する係止部を有するソケット本体と、このソケット本体に設けられてランプ口金の中央電極部に接触する中央電極と、前記ソケット本体に設けられて前記ランプ口金の外側電極部に接触する外側電極と、前記ソケット本体に設けられて前記ランプ口金が前記ソケット本体に嵌合した状態で前記ランプ口金に当接する押上部材と、前記ソケット本体に支持されて前記押上部材を前記ランプ口金が外れる方向に押圧する弾性体とを備え、前記弾性体が絶縁材を用いたものである。
【００１１】
本発明の別のランプソケットは、外周面に係合部を有するランプ口金に嵌合するソケット開口部を有するとともに前記係合部を係止する係止部を有するソケット本体と、このソケット本体に設けられてランプ口金の中央電極部に接触する中央電極と、前記ソケット本体に設けられて前記ランプ口金の外側電極部に接触する外側電極と、前記ソケット本体に設けられて前記ランプ口金が前記ソケット本体に嵌合した状態で前記ランプ口金に当接する押上部材と、前記ソケット本体に支持されて前記押上部材を前記ランプ口金が外れる方向に押圧する弾性体とを備え、前記押上部材が少なくとも２以上に分割されているものである。
【００１２】
上記構成において、前記ランプ口金の前記係合部と前記ソケット本体の前記係止部との係合がランプ軸方向への直線動作によるものである。
【発明の効果】
【００１３】
本発明のランプソケットによれば、例えばＨＩＤランプ等のランプに用い、ランプを点灯するための高電圧パルスが印加されるソケット等において、弾性体に支持された押上部材を付け、ランプを外す方向に押圧することにより、ランプ口金とソケット本体との半嵌合を防止でき、安定した接触状態の確保が可能となり、ルーズコンタクトによる発煙、発火等のトラブルを防止できる。
【００１４】
また、外側電極をソケットカバーに固定することで、大型化することなく中央電極と外側電極との絶縁距離を確保できる。これに対して、外側電極をソケットボディに組み付ける構成の場合、高電圧絶縁の設計が困難であり、ソケットの大型化になる。
【００１５】
弾性体に絶縁材を用いることにより、ソケットを大型化せずに中央電極と外側電極との絶縁を確保できる。これに対して、押上部材を摺動するための弾性体に導電体の金属ばねを使用すると高電圧絶縁の設計が困難になり、ソケットの大型化になりやすい。
【００１６】
前記押上部材が少なくとも２以上に分割されているため、両電極間の絶縁距離を確保することによる無負荷放電の防止となり、押上部材を可動式壁からなる多段階にすることによりソケット内での省スペース化を図れる。これに対して押上部材を一部品で構成すると、ソケットの小型化が困難になる。
【００１７】
前記ランプ口金の前記係合部と前記ソケット本体の前記係止部との係合がランプ軸方向への直線動作によるため、ランプ口金とソケット本体とを直線動作で装着できるので、作業性がよく灯体内のレイアウトもしやすい。これに対して、ランプへの嵌合が差込み回転式の場合、組付け作業が２つの動作になり、作業性がよくない。また半嵌合が起こりやすく放電トラブルの原因になる。
【発明を実施するための最良の形態】
【００１８】
この発明の第１の実施の形態を図１から図６により説明する。すなわち、この高電圧用ソケットは、ソケット本体１と、中央電極２と、外側電極３、４と、押上部材５と、弾性体６とを有する。
【００１９】
ソケット本体１は、外周面に係合部１２を有するランプ口金に嵌合するソケット開口部１０を有するとともに、係合部１２を係止する係止部７を有する。ランプ口金は従来例で示したものと同様であるので省略している。すなわち係合部１２は係合ピンを用いている。実施の形態のソケット本体１は、ソケットボディ８とソケットカバー９からなり、ソケットボディ８のソケット底部がカバー９により構成され、外側電極３、４をソケットカバー９に取付けている。ソケットボディ８は図２（ａ）および図３（ａ）に示すように、全体が略筒状であって一端に有底のソケット開口部１０を有し、ソケット開口部１０の中心に底部側より立ち上がった中央筒部１１を設け、ソケット開口部１０の内周面に一対の外側電極用穴部１５を切欠形成している。ソケットボディ８の他端にソケットカバー９を係止するための凹部１６と引掛穴１７を形成している。またソケット開口部１０の周縁部にバヨネット式の係止部７を図５（ａ）に示すように周方向に複数設けている。この係止部７は一端部がソケット開口部１０の周縁部に一体に設けられ、他端部が周方向に延出するようにしたもので、その先端と隣接する係止部７の後端との間に係合部１２をランプ軸方向に挿入させる縦溝１４と、これに連続する横溝２０からなるＬ字形溝を形成し、また係止位置で抜止めする係止凹部１３を係止部７の先端の内面に形成している。ランプ口金４７をソケット開口部１０に挿入するとき係合部１２が係止部７の縦溝４に挿入され、ソケット本体１を回転すると係合部１２が横溝２０に入り、係止凹部１３に係止し抜止めされる。このときランプ口金４７の中心の中央電極部が中央筒部１１に嵌入する。
【００２０】
ソケットカバー９はソケットボディ８の凹部１６に嵌合する嵌合部１８および引掛穴１７に引掛ける引掛爪１９を有し、嵌合部１８を凹部１６に挿入し、引掛爪１９を引掛穴１７に係止することによりカバー９がソケットボディ８に取付けられる。
【００２１】
中央電極２は、ソケット本体１に設けられてランプ口金４７の中央電極部に接触する。実施の形態では、中央電極部の周面に挟み接触するＵ字形の構成を有するもので、ソケットボディ８の中央筒部１１の裏面側、すなわちカバー取付側から中央筒部１１内に挿着され、中央電極２に高圧線２４を接続している。また高圧線２４をソケットホディ８の側部の開口２６より外部に引き出すためのガイド兼絶縁壁２５をソケットボディ８に設けている。
【００２２】
外側電極３、４はソケット本体１に設けられてランプ口金の外側電極部に接触する。実施の形態では、外側電極３、４がソケットカバー９に設けられ、ソケットカバー９をソケットホディ８に取付けることにより、外側電極用穴部１５に位置してランプ口金４７の外側電極部に接続可能にソケット開口部１０の内周面に臨ませている。各外側電極３、４の一方には低圧線２２を接続し、他方には制御線２３を接続している。低圧線２２および制御線２３は高圧線２４のガイド兼絶縁壁２５の外側に配置されて、高圧線２４と同方向に外部にでるように配線されている。また各外側電極３、４は同一部品により形成され、図４に示すように平板３０の一端を二股に形成してそれぞれに外周電極部に接触する接触部３１をわん曲し、他端の中央に舌片状に延出した電線接続部３２を略Ｕ字形に折曲し、さらに両側に挿着用の取付部３３を三角波形に折曲し、さらに接触部３１の二股分岐中心で図４（ａ）に示すように接触部３１が相対向する方向に若干くの字に折曲している。電線接続部３２に接続する電線２２、２３はランプ軸方向に平行にして電線接続部３２にかしめており、これによりランプソケットからの電線引き出し方向を同じくしながら同一部品を対称に共用することができ、コストダウンを図っている。また外側電極３、４の電線接続方向をソケット前面方向に平行にすることで外側電極３、４を保持するソケットカバー９の電極保持部３５をランプ挿入方向に開口した袋状に形成でき、絶縁距離を大きくすることができる。すなわち、電極保持部３５はソケットカバー９の中央に対する対称位置にソケットボディ接続方向に開口した袋状に形成され、各外側電極３、４が電極保持部３５に挿入され、取付部３３が電極保持部３５内に形成した取付部挟持用隙間３５ａに圧入挿着して取付けている。
【００２３】
押上部材５は、ソケット本体１に設けられてランプ口金がソケット本体１に嵌合した状態でランプ口金４７に当接する。実施の形態ではソケット開口部１０内に摺動自在に挿入可能なリング状の絶縁体であって、一端に周溝３７を形成している。押上部材５の周溝３７をソケット開口部１０に向けてソケット開口部１０内に摺動自在に挿入される。
【００２４】
弾性体６は、ソケット本体１に支持されて押上部材５をランプ口金４７が外れる方向に押圧するものである。実施の形態では圧縮型のコイルばねを用い、ソケット開口部１０に挿入しその一端をソケットボディ８の底部に支持させ、他端を押上部材５の周溝３７に嵌合している。このため、押上部材５はソケット開口部１０の外方に押し出される方向に付勢され、ランプ口金４７の不完全装着時にはランプ口金を押し出して不完全挿着を防止する。
【００２５】
図１（ａ）はランプ口金４７の装着前の状態であり、図１（ｂ）はランプ口金４７を装着した状態である。この場合、上記したように差込み回転動作によってランプ口金４７の係合部１２が係止部７の係止凹部１３に係止しているが、同時に押上部材５がランプ口金４７に押圧されてコイルばねが圧縮されている。このため、ソケット本体１がランプ口金４７から離れる方向に押出力を受け、係合部１２が係止凹部１３にがたつきなく強固に係止することとなる。
【００２６】
第１の実施の形態によれば、例えばＨＩＤランプ等のランプに用い、ランプを点灯するための高電圧パルスが印加されるソケット等において、弾性体６に支持された押上部材５を付け、ランプを外す方向に押圧することにより、ランプ口金４７とソケット本体１との半嵌合を防止でき、安定した接触状態の確保が可能となり、ルーズコンタクトによる発煙、発火等のトラブルを防止できる。
【００２７】
なお、第１の実施の形態は、外側電極３、４の一方をスイッチに利用する３線式ソケットであるが、スイッチに利用しない２線式でもよい。
【００２８】
また、図５（ｂ）はランプ口金の係合ピンを受ける係止部の別の形態を示し、縦溝１４を中心に向いた切欠により形成している。また図６（ａ）は係止部７を、係合部１２の保持部３８と、クリック感を確保するとともに係止凹部１３を形成する逆回転止めを兼ねたクリック部３９とを２つに分けてそれを突き合わせたものであり、係合部１２を保持しかつクリック感を確保している。この係止部７はソケット開口部１０の周縁にＴ字形の樹脂ばね部４０をその中心を付け根として一体に設け、その両端に係合部保持部３８とクリック部３９とを設け、この樹脂ばね部材４０を複数（例えば４個）を周方向に並べることにより、保持部３８とクリック部３９とを突き合わせている。そして樹脂ばね部材４０の内周面に切欠状に縦溝１４を形成し、クリック部３９と保持部３８とで横溝２０が形成され、クリック部３９が横溝２０の幅を狭くするように突出してクリック部３９の内側に係止凹部１３を形成している。この構造により、係合部１２が横溝２０のクリック部３９を通り抜ける際にクリック部３９が樹脂ばね部材４０の弾性変形により後退してクリック感が容易に得られるとともに、保持部３８を短くし、樹脂ばね部材４０の付け根部にかかる力を少なくすることにより耐熱性のクリープおよび振動の影響を受けにくくすることができる。このように係止部７を機能上別にすることにより耐振動性の向上およびクリック感の確保に効果がある。
【００２９】
図６（ｂ）は、図６（ａ）の樹脂ばね部材４０の付け根部を分割部４２で二つ割りに分割して、保持部３８とクリック部３９を別体にした形態である。
【００３０】
図６（ｃ）は、図６（ｂ）のクリック部３９に代えて、クリック部３９をソケット本体１の開口縁にＵ字形の切溝４３を形成し、その内側の先端に三角形の突出部４４を設けることにより形成したものである。
【００３１】
この発明の第２の実施の形態を図７から図９により説明する。すなわち、この高電圧用ソケットは、第１の実施の形態において、押上部材５がソケット本体１のソケット開口部１０より組み付ける構成にしている。実施の形態では、押上部材５の外周面の対称位置に軸方向に延びる突条を形成する。ソケット本体１のソケット開口部１０の内周面に突条４８を案内する摺動溝４９をランプ軸方向に形成し、ソケット開口部１０の開口側に押上部材係止部５０を形成する。摺動溝４９は、ソケットボディ８に形成した突条５１とソケットカバー９に形成した摺動面５２とで形成され、ソケットボディ８にソケットカバー９を取付けることにより摺動溝４９を形成する。押上部材係止部５０は突条５１に連続して逆Ｊ字状に形成し、ソケットボディ８の前面より押上部材５を挿入し、押上部材係止部５０に引掛けてソケットカバー９をソケットボディ８に取付け、これにより押上部材５をソケット開口部１０から組み付けると同時にて摺動溝４９を形成する。押上部材５をソケット開口部１０に挿入することで中央電極２と外側電極３、４の絶縁を兼ねる。また中央筒部１１とソケット開口部１０の内周面との間の空間により、中央電極２と外側電極３、４の間の絶縁スペーサを形成し、これによりソケットボディ８の裏側の絶縁距離を大きくなり、絶縁のための部品点数の削減にもなる。
【００３２】
その他の構成は第１の実施の形態と同様である。
【００３３】
第２の実施の形態によれば、押上部材５をソケット開口部１０より組み付けることによってソケット本体１の貫通穴部を減少でき、中央電極２と外側電極３、４との絶縁がとりやすくなる。
【００３４】
この発明の第３の実施の形態を図１０から図１４により説明する。すなわち、この高電圧用ソケットは、ソケット本体１のソケット底部がソケットカバー９により構成され、外側電極３、４をソケットカバー９に取付けて、形状を大きくすることなく絶縁距離を確保するものである。
【００３５】
まず、図１０から図１１は、外側電極３、４の一方をスイッチに利用した３線式の場合でランプ口金４７を装着していない場合を示し、ソケットボディ８およびソケットカバー９の構成は第１の実施の形態等と同様である。すなわち、図１０（ａ）はソケットボディ８の背面を示し、同図（ｂ）はソケットカバー９の上面を示し、図１１（ａ）はソケットボディ８の断面を示し、図１１（ｂ）はソケットカバー９の断面を示す。図１２はランプ口金４７を装着した状態を示す。このように電極がソケットカバー９とソケットボディ８に別個に入ることによりソケットカバー９に設けた外側電極３、４の支持部５５が絶縁壁となり外形を大きくすることなく従来の絶縁距離ａを大きくとることができる。
【００３６】
図１３は２線式の（スイッチ制御線のない）場合であり、絶縁押上部材５はソケット開口部１０側に突出する上方突出部５ａを設けるとともに、ソケットカバー９側に突出する下方突出部５ｂを設けている。なお、外側電極３、４は片方のみでもよい。
【００３７】
図１３（ａ）は未装着状態、同図（ｂ）は装着状態である。ｂ〜ｄは太線で示した絶縁距離であり、大きくとることができる。
【００３８】
図１４（ａ）は３線式の場合であり、絶縁押上部材５は外周のソケットカバー９側に下方突出部５ｂを設けている。この場合も図１３（ｂ）と同様な絶縁距離を確保することができる。
【００３９】
従来は、高圧パルスの印加時に中央電極と外側電極の絶縁距離を確保しようとすると、外形状が大きくなるか、またはパッキンなどの別部品を必要とした。
【００４０】
この発明の第４の実施の形態を図１５および図１６により説明する。すなわちランプ口金４７の中央電極部６０を突出する凹部６１に嵌合する嵌合筒状部６２を中央筒部１１の外側に同心に設け、嵌合筒部６２と中央筒部１１との間に押上部材５をガイドし、ソケット本体１の底部と押上部材５との間に弾性体６を設け、弾性体６を絶縁材により形成したものである。その他、第１の実施の形態等と共通する部分に第１の実施の形態と同一符号を付している。
【００４１】
図１５では、弾性体６がリング状の樹脂弾性体であり、同図（ａ）は口金装着前の状態、同図（ｂ）はランプ口金４７を装着した状態であり、ランプ口金４７が押上部材５を押し、押上部材５が弾性体６をソケット本体１に押圧し、これにより弾性体６が押上部材５と、中央筒部１１の外周面と嵌合筒状部６２の内周面に密着し、これにより絶縁性能が向上する。６７は外側電極３に接触するランプ口金４７の外側電極部である。
【００４２】
図１６では、嵌合筒状部６２に切欠状の穴６３を形成している。図１６（ａ）はランプ口金４７を装着する前であり、同図（ｂ）はランプ口金４７を装着した状態である。このとき、押上部材５に押された弾性体６が切欠状の穴６３を通して外部に膨れ出しランプ口金４７の周縁部の先端に密着し、絶縁耐圧性を向上する。
【００４３】
この実施の形態によれば、弾性体６に絶縁材を用いることにより、ランプソケットを大型化せずに中央電極２と外側電極３との絶縁を確保できる。これに対して、押上部材を摺動するための弾性体に導電体の金属ばねを使用すると高電圧絶縁の設計が困難になり、ソケットの大型化になりやすい。
【００４４】
なお、嵌合筒状部６２は周方向に分割された構造でも完全な筒体でもよく、穴６３は切欠でなくてもよい。また弾性体６を第１の実施の形態から第３の実施の形態に適用することが可能である。
【００４５】
この発明の第５の実施の形態を図１７により説明する。すなわち、このランプソケットは、中央電極２がランプ口金４７の中央電極部６０の先端に対して押し当てによって接触する構成である。実施の形態では、中央電極部６０の先端に当接する皿状の電極６５とこの電極６５をコイルばね等の弾性体６により支持している。
【００４６】
電力は皿状の電極を通して供給するが、電極６５にリード線を接続してもよいし、弾性体６を介して通電してもよい。
【００４７】
この実施の形態によれば、ランプの中央電極部６０はランプソケットの中央電極２によりどのような角度で挿入されても確実にランプソケットとランプの電極同士が確実に接触し、例えば半嵌合のようなランプソケットの不完全装着状態でも安定して接触させることができ、高電圧印加による発煙、発火を防止することができる。また中央電極部６０を挾む構造と比較して、中央電極２の高さを低減できるため、絶縁距離の確保による無負荷放電を抑制することが可能である。電極を支持する弾性体のばね力を調整することによりソケット不完全装着時のランプをはじきだす作用も得られる。
【００４８】
その他、第１の実施の形態等と共通する部分に同一符号を付しているが、この中央電極２を上記した第１の実施の形態から第４の実施の形態に適用することが可能である。
【００４９】
この発明の第６の実施の形態を図１８により説明する。すなわち、このランプソケットは、押上部材５が少なくとも２以上に分割されているものである。実施の形態では、筒状であって上端に係止部７０を有する第１の絶縁押上部材部７１と、この第１の絶縁押上部材に嵌合し係止部７０に係止可能な係合部７２を下端に有する第２の絶縁押上部材部７３とを有し、弾性体６は第２の絶縁押上部材部７３の下端部に係合している。
【００５０】
同図（ａ）はランプ装着前であり、第２の絶縁押上部材部７３が弾性体６に押し上げられて係合部７２を介して第１の絶縁押上部材部７１を押上げ、両押上部材部が互いに重なりあって突出することにより中央電極２と外側電極３、４との絶縁距離を確保している。同図（ｂ）はランプ装着状態である。このとき、ランプ口金４７により第２の絶縁押上部材部７３が弾性体６に抗して押圧されるとともに、第１の絶縁押上部材部７１が底部に当接し、第２の絶縁押上部材部７３も第１の絶縁押上部材部７１とほぼ同じ高さに押えられる。ランプ口金４７が装着されることにより、２つの押上部材部７１、７３が重なり突出していたものが互いにそれぞれ別々に引っ込むことにより体積を小さくすることで、ランプ口金４７の装着を容易にしている。
【００５１】
上記の構成以外の部分は第１の実施の形態から第５の実施の形態までと同様である。
【００５２】
この実施の形態によれば、両電極２、３（４）間の絶縁距離を確保することによる無負荷放電の防止となり、押上部材５を可動式壁からなる多段階にすることによりソケット内での省スペース化を図れる。これに対して押上部材を一部品で構成すると、ソケットの小型化が困難になる。なお、押上部材５の分割数３以上でもよい。
【００５３】
この発明の第７の実施の形態を図１９および図２１により説明する。すなわち、このランプソケットは、ランプ口金４７とソケット本体１との結合がランプ軸方向への直線動作によるものである。実施の形態では図１９および図２０に示すように、ソケット本体１のソケット開口部１０の内周面に上端が内周面の上端に開放した一対の縦溝１４、１４ａとこれらを連結する横溝２０からなる略Ｕ字形の溝を形成し、この溝に係合部１２が摺動可能に挿入されるとともに、一方の縦溝１４の溝底はその開口側端部がソケット本体１に連結部８０ａにより連結された逆止爪８０により形成され、逆止爪８０が係合部１２を抜止め係止するようにしている。
【００５４】
図２１（ａ）は、係合部１２が逆止爪８０を押して縦溝１４に挿入された途中位置の状態であり、このとき逆止爪８０は端部の連結部８０ａが弾性変形でねじれることにより、係合部１２に対して後退し、係合部１２を挿入させている。同図（ｂ）は係合部１２が挿入を完了し、連結部８０ａが弾性復帰して爪８０の先端が係合部１２に係止し係合部１２が抜止めされた装着完了状態である。このとき、図のように爪８０の先端が縦溝１４の横溝２０への連絡部よりも若干後退して位置し係合部１２は縦溝１４に掛かっておりかつ押上部材５の押上力により爪８０の先端に押付けられている。このため、係合部１２が横溝２０に自由に移動することはできず、ランプにランプソケットが確実に保持された状態となる。同図（ｃ）はランプをランプソケットから外す途中の動作を説明するもので、ランプソケットを押上部材５のばね力に抗して押圧して係合部１２を横溝２０に位置しランプとランプソケットを相対的に回転して係合部１２を横溝２０に沿って移動する。同図（ｄ）は係合部１２が縦溝１４ａの他方に位置した状態であり、押上部材５の押出力によりランプとランプソケットが外れる。
【００５５】
第７の実施の形態によれば、ランプ口金４７とソケット本体１とを直線動作で装着できるので、作業性がよく、灯体内のレイアウトもしやすい。
【００５６】
図２２はさらに他の実施の形態であり、同図（ａ）に示す上記第１の実施の形態から第６の実施の形態に示すようにソケット本体１の中央底部から側部に直線に引き出すのに対して、同図（ｂ）に示すように高圧線２４をガイドする絶縁案内部２５ａを略逆Ｊ字形に迂回するように形成したものであり、高圧線２４を迂回することで同図（ａ）に示す絶縁距離ｘを絶縁距離ｙに大きくでき、反対にソケット本体１の側部の引き出し線用突出部８５の突出量を例えばｐだけ小さくできるので、ランプソケットの小型化が可能となる。
【００５７】
さらに他の実施の形態として、ソケット本体１が透明樹脂で形成してもよい。この場合、透明材料を使用することにより、ランプ口金４７の係合部１２の嵌合状態および係合部１２の係止状態が見やすく確認容易になる。なお、低圧線用の引き出し部は第１の実施の形態等と略同様に確保されている。
【図面の簡単な説明】
【００５８】
【図１】この発明の第１の実施の形態を示し、（ａ）はランプ装着前の断面図、（ｂ）はランプ装着状態の断面図である。
【図２】ソケット本体を分離した状態を示し、（ａ）はソケットボディの断面図、（ｂ）はソケットカバーの側面図である。
【図３】（ａ）はソケットボディの背面図、（ｂ）はソケットカバーの正面図である。
【図４】一方の外側電極を示し、（ａ）は平面図、（ｂ）は正面図である。
【図５】それぞれランプ係止部が別の形態のランプソケットの斜視図である。
【図６】（ａ）は係止部がさらに別の形態のランプソケットの斜視図、（ｂ）はその保持部の形態が異なる部分斜視図、（ｃ）はさらにその別の形態の部分斜視図である。
【図７】第２の実施の形態を示し、（ａ）はソケットボディの断面図、（ｂ）はソケットボディの背面図、（ｃ）はソケットカバーの上面図である。
【図８】ランプソケットの分解斜視図である。
【図９】押上部材を示し、（ａ）は平面図、（ｂ）側面図である。
【図１０】第３の実施の形態を示し、（ａ）はソケットボディの背面図、（ｂ）はソケットカバーの正面図である。
【図１１】（ａ）はソケットボディの断面図、（ｂ）はソケットカバーの断面図である。
【図１２】ランプ装着状態のソケット本体の断面図である。
【図１３】２線式のランプソケットを示し（ａ）はランプ装着前の断面図、（ｂ）はランプ装着後の断面図である。
【図１４】３線式のランプソケットで、（ａ）はランプ装着前の断面図、（ｂ）はランプ装着後の断面図である。
【図１５】第４の実施の形態を示し、（ａ）はランプ装着前の断面図、（ｂ）はランプ装着後の断面図である。
【図１６】その別形態であって、（ａ）はランプ装着前の断面図、（ｂ）はランプ装着後の断面図である。
【図１７】第５の実施の形態の概略断面図である。
【図１８】第６の実施の形態を示し、（ａ）はランプ装着前の断面図、（ｂ）はランプ装着後の断面図である。
【図１９】第７の実施の形態の一部省略斜視図である。
【図２０】その部分拡大斜視図である。
【図２１】係合ピンの係脱動作を説明する動作説明図である。
【図２２】他の実施の形態のソケット本体の高圧線の引回しを説明する背面図である。
【図２３】従来例のランプとランプソケットの分解斜視図である。
【図２４】係合ピンと係止部の係止動作の説明図である。
【符号の説明】
【００５９】
１ ソケット本体
２ 中央電極
３ 外側電極
４ 外側電極
５ 押上部材
６ 弾性体
７ 係止部
８ ソケットボディ
９ ソケットカバー
１０ ソケット開口部
１１ 中央筒部
１２ 係合部
１４ 縦溝
２０ 横溝
４７ ランプ口金
【図１】
2005101011.tif 000003
【図２】
2005101011.tif 000004
【図３】
2005101011.tif 000005
【図４】
2005101011.tif 000006
【図５】
2005101011.tif 000007
【図６】
2005101011.tif 000008
【図７】
2005101011.tif 000009
【図８】
2005101011.tif 000010
【図９】
2005101011.tif 000011
【図１０】
2005101011.tif 000012
【図１１】
2005101011.tif 000013
【図１２】
2005101011.tif 000014
【図１３】
2005101011.tif 000015
【図１４】
2005101011.tif 000016
【図１５】
2005101011.tif 000017
【図１６】
2005101011.tif 000018
【図１７】
2005101011.tif 000019
【図１８】
2005101011.tif 000020
【図１９】
2005101011.tif 000021
【図２０】
2005101011.tif 000022
【図２１】
2005101011.tif 000023
【図２２】
2005101011.tif 000024
【図２３】
2005101011.tif 000025
【図２４】
2005101011.tif 000026